(57)【特許請求の範囲】
【請求項１】
複数本が並ぶ木材を支持して長さ方向に送るテーブルの送り方向の前方位置にストッパーを配置し、このテーブルの先端側で上部の位置に上部クランプと、片側の側部位置に側部クランプを設けた送入テーブルにおいて、
前記テーブル上に、木材を支持して長さ方向に送る表面が滑面状の送りローラと、表面に突起を持つローラを混在して設け、このテーブルの両側部の位置に、ローラによる送り方向と直交する方向に進退動し、木材の並び具合の姿勢を矯正する側圧補助シリンダを設けたことを特徴とする送入テーブル。
【発明の詳細な説明】
【０００１】
【発明の属する技術分野】
この発明は、板材や角材のような木材を加工する加工工程において、加工される上記木材を、送りローラにて複数本を同時に送り、その木材の端面（木口）を揃え、その状態で木材をクランプして、次工程へ送るための送入テーブルに関する。
【０００２】
【従来の技術】
従来、複数本の木材の端面を同時に加工するため、回転させた送りローラで木材を同時に複数本送り、それを前方のストッパーに当接させ、各木材の木口を揃える送入テーブルが用いられている。
【０００３】
【発明が解決しようとする課題】
ところで、板材や角材のような木材を、送りローラにて同時に複数本を送ると、木材の状態、即ち、曲がり、ひねり、表面の仕上がり状況等により、木材と木材が妨げあうため、単に送りローラで送るだけでは、木材の個々の送られる距離に差ができ、送入テーブルの前方のストッパーに木材が当接した時に、確実に全ての木材の木口が揃っているとは限らず、また、その状態で木材の木口を揃えるために、送りローラを回転し続けても、木材同志が妨げあって、送りローラと木材とがスリップし、各木材の木口を完全に揃えることができない。
【０００４】
そのような状態で木材をクランプして次工程へ送り、木口の加工をした場合、ストッパーに当接した木材は加工されるが、当接していない木材は未加工となり、不良品となってしまうという問題がある。
【０００５】
また、従来のストッパーは固定式であったため、テーブルへ木材を搬入、搬出する場合、ストッパーのない方向より木材を搬入、搬出するか、もしくは、ストッパーのない位置までテーブルを移動して木材を搬入、搬出する必要があった。
【０００６】
そこで、この発明の課題は、上記のような状態の木材でも、各木材の木口を確実にストッパーに当接させることができ、木口を揃えてクランプし、次工程へ送ることができると共に、ストッパーを起伏動式にすることにより、ストッパーを越えて木材をテーブルへ搬入、搬出することができ、木材搬送ラインの自由度を向上させることができる送入テーブルを提供することにある。
【０００７】
【課題を解決するための手段】
上記のような課題を解決するため、この発明は、複数本が並ぶ木材を支持して長さ方向に送るテーブルの送り方向の前方位置にストッパーを配置し、このテーブルの先端側で上部の位置に上部クランプと、片側の側部位置に側部クランプを設けた送入テーブルにおいて、前記テーブル上に、木材を支持して長さ方向に送る表面が滑面状の送りローラと、表面に突起を持つローラを混在して設け、このテーブルの両側部の位置に、ローラによる送り方向と直交する方向に進退動し、木材の並び具合の姿勢を矯正する側圧補助シリンダを設けた構成を採用したものである。
【０００８】
上記ストッパーが、水平のストッパー杆を駆動機で、送りローラの上面に対して上方に位置する状態と下方に位置する状態の何れかに位置の変更が可能となるようにして形成されている構造としてもよい。
【０００９】
【発明の実施の形態】
以下、この発明の実施の形態を図示例と共に説明する。
【００１０】
図示のように、送入テーブル１は、長いテーブル２上に、表面が滑面状の送りローラ３を長さ方向に所定の間隔で並べて設けると共に、適当な位置の該送りローラ３間に、表面に突起４を持つローラ５が混在した配置で設けられ、送りローラ３は木材Ａを支持して常時前方へ送るように回転駆動され、表面に突起４を持つローラ５は、常時回転させても、また、必要な時だけ回転させるようにしてもよく、その回転時に、送りローラ３で支持された木材Ａの下面に突起４が当接する条件になっている。
【００１１】
上記送入テーブル１は、そのテーブル２の両端部が、ベース台６上のレール７で支持され、送りローラ３による木材Ａの送り方向と直交する方向に、ラック８とピニオン９による移動機構１０によって移動するようになっている。
【００１２】
前記送入テーブル１が木材Ａの供給ライン上に停止する位置で、送りローラ３による木材Ａの送り方向の前方位置には、送りローラ３で送られてきた木材Ａの端部を受けて停止させるストッパー１１が、ベース台６上への設置によって設けられている。
【００１３】
このストッパー１１は、図１に示すように、ベース台６上に設けた支持台１２に揺動アーム１１ａを枢支し、この揺動アーム１１ａの上端に水平のストッパー杆１３を取り付け、駆動機となるシリンダ１４を揺動アーム１１ａの下端に連結し、シリンダ１４の伸縮で、ストッパー杆１３を送りローラ３の上面に対して、上方に位置する状態と下方に位置する状態の何れかに変更できるよう、突出状態から送入テーブル１と反対側に伏倒する起伏動自在になっている。また、ストッパー１１は、上下方向にスライドさせる機構を採用してもよい。
【００１４】
上記のように、ストッパー１１のストッパー杆１３を送りローラ３の上面に対して下方に位置させることができるようにすると、送入テーブル１の延長方向に木材Ａを送り出すことができ、木材搬送ラインの設定の自由度が大幅に向上するという利点がある。
【００１５】
前記送入テーブル１の送りローラ３による木材Ａの送り方向の先端側には、両側部の位置に側圧補助シリンダ１５、１６と、上部の位置に上部クランプ１７と、片側の側部位置に側部クランプ１８とが設けられている。
【００１６】
上記側圧補助シリンダ１５、１６は、テーブル２上に設けた門形支持枠１９の両側の側面に同軸心状の配置となるよう水平に固定され、ピストン杆の先端に取り付けた垂直の押し板２０が互いに対向して送りローラ３による木材Ａの送り方向と直交する方向に進退動し、前進動時に送りローラ３上に支持された木材Ａ群を両側から挟持することになる。
【００１７】
上記上部クランプ１７は、図１の如く、側圧補助シリンダ１５、１６よりも先端側に位置し、テーブル２上の端部側に設けた門形支持台２１の上部にシリンダ２２を垂直に固定し、このシリンダ２２の下向きとなるピストン杆の下端に水平の押さえ部材２３を設けて形成され、送りローラ３上に支持された木材Ａ群を上から押さえて固定する。
【００１８】
上記側部クランプ１８は、図２に示すように、上部クランプ１７を設けた門形支持台２１の一方側面に、シリンダ２４を水平に固定し、送入テーブル１の内側に向くピストン杆の先端に垂直の押さえ部材２５を設けて形成され、木材Ａ群を側面から押圧し、門形支持台２１の他方側面とで固定する。なお、この側部クランプ１８は、送入テーブル１が加工機に向けて移動する方向に対して、後ろ側になる位置に設けられている。
【００１９】
なお、図示省略したが、送入テーブル１の後端側にも、両側の位置に側圧補助シリンダと、上部の位置に上部クランプと、片側の側部位置に側部クランプと、送りローラ３で送られてきた木材Ａの端部を受けるストッパー１１を設け、木材Ａの前端部の加工が終了後、各クランプを解除し、送りローラを逆転させて、木材Ａを反対方向に送り、前端部と同様に後端部の加工を行うようにしてもよい。
【００２０】
この発明の送入テーブルは、上記のような構成であり、次に、その作用を説明する。
送入テーブル１が木材Ａの供給ライン上に停止する状態で、送入テーブル１上に後端側から複数本の木材Ａが並べて供給されると、送入テーブル１は、送りローラ３の回転で前方に送られ、木材Ａの先端が前方のストッパー１１に当接したときに、各木材Ａの先端木口がそろっていない場合は、送入テーブル１の両側にある側圧補助シリンダ１５、１６を前進させ、木材Ａ群を両側より挟み、木材Ａの並び具合の姿勢を矯正してやる。
【００２１】
その後、側圧補助シリンダ１５、１６を後退させながら、表面に突起４を持つローラ５を回転させてやると、該ローラ５の突起４により、木材Ａに振動が与えられるため、上記した側圧補助シリンダ１５、１６の効果と相まって、それまで木材Ａ相互が妨げあっていた状態が解消され、これにより、ストッパー１１に当接していない木材Ａが送りローラ３の回転で前進し、その木口がストッパー１１に当接する。
【００２２】
このようにして、全ての木材Ａの木口をストッパー１１に当接させて木口を確実に揃えると、送りローラ３の回転を止め、上部クランプ１７と側部クランプ１８を作動させ、木材Ａ群を送入テーブル１に対して固定化する。
【００２３】
この状態で、ストッパー１１は、ストッパー杆１３が木材Ａ群の木口から離反した後、送入テーブル１は次工程に向けて移動し、木材Ａの端部にフインガージョイント等の加工が施される。
【００２４】
【発明の効果】
以上のように、請求項１の発明によると、複数本の木材を並列状態で端部加工機に向けて送り込むとき、各木材の端部木口を確実に揃えることができ、複数本の木材の端部を同時に加工する場合の不良品の発生を確実に防止することができる。
【００２５】
また、請求項２の発明によると、ストッパーを送りローラの上面に対して上方に位置する状態と下方に位置する状態の何れかに位置の変更が可能となるようにしたので、ストッパーを越えて木材をテーブルへ搬入、搬出することができ、木材搬送ラインの自由度を向上させることができる。
【図面の簡単な説明】
【図１】送入テーブルの正面図
【図２】送入テーブルの平面図
【図３】送入テーブルの縦断側面図
【符号の説明】
１  送入テーブル
２  テーブル
３  送りローラ
４  突起
５  ローラ
６  ベース台
７  レール
１０  移動機構
１１  ストッパー
１３  ストッパー杆
１４  シリンダ
１５、１６  側圧補助シリンダ
１７  上部クランプ
１８  側部クランプ
２２  シリンダ
【図１】
0004122079.tif 000002
【図２】
0004122079.tif 000003
【図３】
0004122079.tif 000004